【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
ズーミングのためには移動しない、ズームレンズの一部を構成するリレーレンズ群の光路に対して挿抜されることにより、前記ズームレンズの焦点距離範囲を変更するエクステンダレンズ群であって、
物体側から像側へ順に、
正レンズと負レンズとを含み、全体として正のパワーを有する前群と、
正レンズと負レンズとを含む中群と、
正レンズと負レンズとを含み、全体として負のパワーを有する後群と、
を有し、
前記中群に含まれる前記正レンズの屈折率および焦点距離をそれぞれＮｐおよびｆｂｐとし、前記中群に含まれる前記負レンズの屈折率および焦点距離をそれぞれＮｎおよびｆｂｎとし、前記中群の焦点距離をｆｂとして、
０．２５０＜Ｎｎ−Ｎｐ
｜ｆｂｐ／ｆｂ｜＜０．２００
｜ｆｂｎ／ｆｂ｜＜０．２００
なる条件式を満たすことを特徴とするエクステンダレンズ群。
【請求項２】
物体側から像側へ順に、ズーミングのために移動するズーム群と、開口絞りと、ズーミングのためには移動しないリレーレンズ群とを有するズームレンズであって、
前記リレーレンズ群は、正の屈折力を有し、第１サブレンズ群と、請求項１に記載のエクステンダレンズ群と、正の屈折力を有する第２サブレンズ群とを有し、前記エクステンダレンズ群は、前記第１サブレンズ群と前記第２サブレンズ群との間の光路に対して挿抜されることにより、前記ズームレンズの焦点距離範囲を変更する、
ことを特徴とするズームレンズ。
【請求項３】
前記エクステンダレンズ群の全長をＬ＿ＩＥとし、前記エクステンダレンズ群のうち最も物体側にあるレンズの物体側の頂点位置から、前記中群に含まれる前記負レンズの像側の頂点位置までの長さをＬ＿ｂとして、
０．３５＜Ｌ＿ｂ／Ｌ＿ＩＥ＜０．６５
なる条件式を満たすことを特徴とする請求項２に記載のズームレンズ。
【請求項４】
前記中群に含まれる前記正レンズのアッベ数をνｐとし、前記中群に含まれる前記負レンズのアッベ数をνｎとして、
｜νｎ−νｐ｜＜２５．００
なる条件式を満たすことを特徴とする請求項２又は３に記載のズームレンズ。
【請求項５】
前記前群、前記中群および前記後群の焦点距離をそれぞれｆａ、ｆｂおよびｆｃとして、
｜ｆａ／ｆｂ｜＜０．２５０
｜ｆｃ／ｆｂ｜＜０．１５０
なる条件式を満たすことを特徴とする請求項２ないし請求項４のうちいずれか１項に記載のズームレンズ。
【請求項６】
０．８０＜｜ｆｂｎ／ｆｂｐ｜＜１．３０
なる条件式を満たすことを特徴とする請求項２ないし請求項５のうちいずれか１項に記載のズームレンズ。
【請求項７】
前記中群は、接合レンズを含んでいることを特徴とする請求項２ないし請求項６のうちいずれか１項に記載のズームレンズ。
【請求項８】
無限遠合焦かつ広角端において、前記エクステンダレンズ群のうち最も物体側の面での軸上光線の最大高さをｈ＿ｉｎとし、前記エクステンダレンズ群のうち最も像側の面での軸上光線の最大高さｈ＿ｏｕｔとして、
１．６０＜ｈ＿ｉｎ／ｈ＿ｏｕｔ＜２．６０
なる条件式を満たすことを特徴とする請求項２ないし請求項７のうちいずれか１項に記載のズームレンズ。
【請求項９】
無限遠合焦かつ広角端において、前記エクステンダレンズ群の全長をＬ＿ＩＥとし、前記エクステンダレンズ群のうち最も物体側の面での軸上光線の最大高さをｈ＿ｉｎとして、
０．４８＜ｈ＿ｉｎ／Ｌ＿ＩＥ＜０．５５
なる条件式を満たすことを特徴とする請求項２ないし請求項８のうちいずれか１項に記載のズームレンズ。
【請求項１０】
前記中群に含まれる前記正レンズと前記負レンズとが互いに隣接して配置され、そのうち物体側のレンズの像側の面の曲率半径をＲ＿ｂとし、該像側の面の光線有効径をｈ＿ｂとして、
１．００＜Ｒ＿ｂ／ｈ＿ｂ＜２．００
なる条件式を満たすことを特徴とする請求項２ないし請求項９のうちいずれか１項に記載のズームレンズ。
【請求項１１】
前記ズーム群の物体側にズーミングのためには移動しない正の屈折力を有する第１レンズ群を有し、
前記ズーム群は、ズーミングのために移動する負の屈折力を有する第２レンズ群と、ズーミングのために移動する負の屈折力を有する第３レンズ群とを有する、
ことを特徴とする請求項２ないし請求項１０のうちいずれか１項に記載のズームレンズ。
【請求項１２】
前記開口絞りは、ズーミングのためには移動しないことを特徴とする請求項２ないし請求項１１のうちいずれか１項に記載のズームレンズ。
【請求項１３】
請求項２ないし請求項１２のうちいずれか１項に記載のズームレンズと、
前記ズームレンズによって形成された像の光を受ける撮像素子と、
を有することを特徴とする撮像装置。
【手続補正２】
【補正対象書類名】明細書
【補正対象項目名】発明の名称
【補正方法】変更
【補正の内容】
【発明の名称】エクステンダレンズ群、ズームレンズおよび撮像装置
【手続補正３】
【補正対象書類名】明細書
【補正対象項目名】０００７
【補正方法】変更
【補正の内容】
【０００７】
本発明は、例えば、小型軽量、高倍率、および高性能の点で有利なエクステンダレンズ群の提供を目的とする。
【手続補正４】
【補正対象書類名】明細書
【補正対象項目名】０００８
【補正方法】変更
【補正の内容】
【０００８】
本発明のエクステンダレンズ群は、ズーミングのためには移動しない、ズームレンズの一部を構成するリレーレンズ群の光路に対して挿抜されることにより、前記ズームレンズの焦点距離範囲を変更するエクステンダレンズ群であって、物体側から像側へ順に、正レンズと負レンズとを含み、全体として正のパワーを有する前群と、正レンズと負レンズとを含む中群と、正レンズと負レンズとを含み、全体として負のパワーを有する後群と、を有し、前記中群に含まれる前記正レンズの屈折率および焦点距離をそれぞれＮｐおよびｆｂｐとし、前記中群に含まれる前記負レンズの屈折率および焦点距離をそれぞれＮｎおよびｆｂｎとし、前記中群の焦点距離をｆｂとして、
０．２５０＜Ｎｎ−Ｎｐ
｜ｆｂｐ／ｆｂ｜＜０．２００
｜ｆｂｎ／ｆｂ｜＜０．２００
なる条件式を満たすことを特徴とする。
【手続補正５】
【補正対象書類名】明細書
【補正対象項目名】０００９
【補正方法】変更
【補正の内容】
【０００９】
本発明によれば、例えば、小型軽量、高倍率、および高性能の点で有利なエクステンダレンズ群を得られる。
【手続補正６】
【補正対象書類名】明細書
【補正対象項目名】００１０
【補正方法】変更
【補正の内容】
【００１０】
【図１】本発明の実施例１、２、３、４のズームレンズの広角端で無限遠物体に合焦しているときのエクステンダ挿入前のレンズ断面図である。
【図２】実施例１、２、３、４のエクステンダ挿入前における無限遠合焦時での（Ａ）広角端、（Ｂ）焦点距離７１．５ｍｍ、（Ｃ）望遠端における縦収差図である。
【図３】本発明の実施例１（エクステンダ倍率２．０倍）のズームレンズの広角端で無限遠物体に合焦しているときのエクステンダ挿入時のレンズ断面図である。
【図４】実施例１（エクステンダ倍率２．０倍）のエクステンダ挿入時における無限遠合焦時での（Ａ）広角端、（Ｂ）焦点距離１４３．０ｍｍ、（Ｃ）望遠端における縦収差図である。
【図５】本発明の実施例２（エクステンダ倍率２．０倍）のズームレンズの広角端で無限遠物体に合焦しているときのエクステンダ挿入時のレンズ断面図である。
【図６】実施例２（エクステンダ倍率２．０倍）のエクステンダ挿入時における無限遠合焦時での（Ａ）広角端、（Ｂ）焦点距離１４３．０ｍｍ、（Ｃ）望遠端における縦収差図である。
【図７】本発明の実施例３（エクステンダ倍率２．０倍）のズームレンズの広角端で無限遠物体に合焦しているときのエクステンダ挿入時のレンズ断面図である。
【図８】実施例３（エクステンダ倍率２．０倍）のエクステンダ挿入時における無限遠合焦時での（Ａ）広角端、（Ｂ）焦点距離１４３．０ｍｍ、（Ｃ）望遠端における縦収差図である。
【図９】本発明の実施例４（エクステンダ倍率２．０倍）のズームレンズの広角端で無限遠物体に合焦しているときのエクステンダ挿入時のレンズ断面図である。
【図１０】実施例４（エクステンダ倍率２．０倍）のエクステンダ挿入時における無限遠合焦時での（Ａ）広角端、（Ｂ）焦点距離１４３．０ｍｍ、（Ｃ）望遠端における縦収差図である。
【図１１】本発明の撮像装置の要部概略図である。
【手続補正７】
【補正対象書類名】明細書
【補正対象項目名】００１９
【補正方法】変更
【補正の内容】
【００１９】
ペッツバール和を最も効果的に補正するためには、中群内で隣接して配置された負レンズと正レンズの屈折率差を大きくする必要があり、中群の負レンズと正レンズがある程度の屈折力を持っている必要がある。ただし、中群全体が強い正の屈折力である場合は後群の屈折力が強くなってしまい、中群全体が強い負の屈折力である場合は前群の屈折力が強くなってしまうため収差補正が困難になる。さらに、中群が強い正の屈折力の場合には、前群と中群の合成主点位置が後群の主点位置に近付いてしまい、中群が強い負の屈折力の場合には、中群と後群の合成主点位置が前群の主点位置に近付いてしまうため、製造敏感度が上昇してしまう。このため、中群は弱い屈折力である必要があり、中群が正レンズと負レンズの接合レンズで構成される場合、その２枚のレンズの焦点距離の絶対値はほぼ同程度である必要がある。
【手続補正８】
【補正対象書類名】明細書
【補正対象項目名】００２７
【補正方法】変更
【補正の内容】
【００２７】
ただし、エクステンダレンズ群の全長をＬ＿ＩＥ、エクステンダレンズ群の最も物体側にあるレンズの物体側の頂点位置から、エクステンダレンズ群の中群に含まれる負レンズの像側頂点位置までの長さをＬ＿ｂとする。条件式（４）を満たすことで、軸上光線及び軸外光線のバランスがよく、どちらかのみが大きすぎない位置でペッツバール和の補正を行うことができる。条件式（４）の上限を上回ると、軸外光線が高くなりすぎるため、中群が倍率色収差へ影響を与えてしまい良好な色収差の補正が困難となる。条件式（４）の下限を下回ると、軸上光線が高くなりすぎるため、中群が軸上色収差へ影響を与えてしまい良好な色収差の補正が困難となる。
【手続補正９】
【補正対象書類名】明細書
【補正対象項目名】００３６
【補正方法】変更
【補正の内容】
【００３６】
本発明の更なる実施態様として、中群に負の屈折力を有するレンズと正の屈折力を有するレンズの接合レンズ１枚を有することが望ましい。エクステンダレンズ群Ｕ５２では、前群や後群と比較して、中群は軸上光線も軸外光線も高すぎないため、前群において効果的にペッツバール和の補正を行うことが重要である。中群に正の屈折力を有するレンズと負の屈折力を有するレンズの接合レンズ１枚を配置することにより、ペッツバール和の補正が有利となる。
【手続補正１０】
【補正対象書類名】明細書
【補正対象項目名】００６４
【補正方法】変更
【補正の内容】
【００６４】
（撮像装置）
図１１は、本発明の実施例１乃至４のいずれかのズームレンズを撮影光学系として用いた撮像装置（テレビカメラシステム）の要部概略図である。図１１において１０１は実施例１〜４のいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１レンズ群Ｆ、変倍部ＬＺ、結像用のＲレンズ群Ｒを有している。第１レンズ群Ｆはフォーカシングに際して移動するレンズ群が含まれている。